【事件の表示】
　特許第２９７６０５１号「断熱防水パネル及び建造物表面の断熱防水施工方法」の請求項１及び４に係る特許に対する特許異議の申立てについて、次のとおり決定する。
【結　論】
　特許第２９７６０５１号の請求項１及び４に係る特許を維持する。
【理　由】
１．手続の経緯
　特許第２９７６０５１号の請求項１及び４に係る発明についての出願は、平成７年５月１９日に特許出願され、平成１１年９月１０日にその特許の設定登録がなされ、その後、株式会社ダイフレックスより特許異議の申立てがなされたものである。
２．特許異議申立てについての判断
（１）申立ての理由の概要
　申立人株式会社ダイフレックスは、甲第１号証（特公平２−４１６１８号公報）、甲第２号証（特開昭５９−４６７８６号公報）、甲第３号証（特開平５−２６９９０５号公報）、及び、甲第４号証（特開昭６１−２９６９１号公報）を提示し、本件請求項１及び４に係る発明は、甲第１〜４号証に記載された発明に基づいて当業者が容易に発明をすることができたものであり、該発明に係る特許は、特許法第２９条第２項の規定に違反してなされたものであるから、特許法第１１３条第１項第２号に該当し、取り消されるべきものであると主張している。
　
（２）請求項１及び４に係る発明
　本件請求項１及び４に係る発明は、その特許明細書の特許請求の範囲請求項１及び４に記載された次の事項により特定されるとおりのものである。
【請求項１】
　「合成樹脂発泡体からなるフォームと、少なくともフォームの片面側に順次貼着される合成樹脂フィルム及びアルミニウムフィルムとを備え、隣接する断熱防水パネルの片面側のアルミニウムフィルムの目地をアルミニウムテープで接着して、電気的に接続したことを特徴とする断熱防水パネル。」
【請求項４】
　「請求項１乃至３のいずれか記載の断熱防水パネルを、上記フォームの他面側を建造物表面に沿わせて複数枚密着状態で敷設し、更に各断熱防水パネルの片面側のアルミニウムフィルム又は合成樹脂フィルム上に沿って合成樹脂製の防水シートを敷設した後、上記断熱防水パネルの片面側のアルミニウムフィルムと、上記防水シートの外表面との間に所定の高電圧を印可して通電の有無を検出することにより上記防水シート上のピンホールの有無を検出し、検出されたピンホールを補修するようにしたことを特徴とする建造物表面の断熱防水施工方法。」
　
（３）甲各号証の記載事項
　甲第１号証（特公平２−４１６１８号公報）には、次のとおり記載されている。
ア．「コンクリート建造物１０，１１の断熱防水すべき部分のコンクリート壁１０ａ，１１ａ，１１ｂの表面に、断熱パネルを敷き並べ、断熱パネルの所要部分を接合片５及び固定金具６によってコンクリート壁１０ａ，１１ａ，１１ｂに固定し、ついで断熱パネルの表面全面に防水シート３を被せて、断熱シート３の所要部分３ａを上記接合片５の表面に接合するコンクリート建造物の断熱防水施工法において、上記断熱パネルとして、所要の大きさを有する断熱材２の表面に、導電体７およびこれに裏打ちされた補強材８，９よりなりかつ断熱材２と略同形同大の導電性シート４を、その導電体７が外側となるように接合した導電性断熱パネル１を用いることを特徴とする、コンクリート建造物における防水シートのピンホール検出可能な断熱防水施工法。」（特許請求の範囲。なお、本件特許公報の「導電性断熱パネル２」との記載は、誤記乃至誤植と認められる。）
イ．「導電性断熱パネルの断熱材としては、例えばポリスチロール、ポリ塩化ビニル、ポリウレタン、ポリエチレン樹脂の発泡体・・を使用する」（第３欄４０〜４４行）
ウ．「導電性シートの導電体は、アルミニウム箔等の金属箔・・により構成される。」（第４欄４〜７行）
エ．「導電体に裏打ちされる補強材としては、合成樹脂フィルムあるいは合成繊維の織布や不織布等を使用する。」（第４欄２５〜２７行）
オ．「実施例１・・発泡スチロール製断熱材２の表面全体に、これと同形同大の導電性シート４を・・接合して一体化し、導電性断熱パネル１を予め製作した。ここで、導電性シート４としては、第２図に示すように・・アルミニウム箔７と、補強材としてのポリエチレン繊維の織布８及びポリエチレン樹脂発泡体９とを積層一体化してなるものを使用した。陸屋根１０の断熱防水すべき底部のコンクリート壁１０ａの表面に、上部導電性断熱パネル１を敷き並べ、パネル１の所要部分１ａを塩ビ鋼板によりなる接合片５及び開脚釘６によってコンクリート壁１０ａに固定した。この場合、開脚釘６によってパネル１の導電性シート４の導電体７が鉄筋コンクリート壁１０ａにアースされる。ついでパネル１の導電性シート４の導電体７の表面全面に硬質塩化ビニル樹脂よりなる防水シート３を被せて、防水シート３の使用部分３ａを上記接合片５の表面に接合した。・・所定の探傷器により全面をチェックする。すなわち、導電性断熱パネル１上の防水シート３の表面に探傷器の先端検査ブラシをのせて、これに所定の高電圧をかける。すると、防水シート３に傷がない場合には、放電現象は生じないが、防水シート３に傷があると、検査ブラシとパネル１の導電性シート４の導電体の間で放電現象が生じ、放電の火花が出て・・これによって損傷部分の場所を容易に探し出すことができる。」（第５欄１７行〜第６欄２３行）　
　また、甲第２号証（特開昭５９−４６７８６号公報）には、概略、金属薄膜テープの導電接続方法について、記載されている。
　また、甲第３号証（特開平５−２６９９０５号公報）には、概略、断熱材の製造方法について記載されている。
　また、甲第４号証（特開昭６１−２９６９１号公報）には、概略、蓄熱槽の防水施工方法について記載されている。
　
（４）本件請求項１に係る発明についての対比・判断
　本件請求項１に係る発明（前者）と上記甲第１号証記載の発明（後者）とを対比するに、前者に係る「合成樹脂発泡体からなるフォームと、少なくともフォームの片面側に順次貼着される合成樹脂フィルム及びアルミニウムフィルムとを備えた断熱防水パネル」は、後者に係る「所要の大きさを有する断熱材２（例えばポリスチロール、ポリ塩化ビニル、ポリウレタン、ポリエチレン樹脂の発泡体）の表面に、導電体７（アルミニウム箔７）およびこれに裏打ちされた補強材８，９（合成樹脂フィルムあるいは合成繊維の織布や不織布等）よりなりかつ断熱材２と略同形同大の導電性シート４を、その導電体７が外側となるように接合した導電性断熱パネル１」に相当するものと認められる。一方、前者の構成要件である「隣接する断熱防水パネルの片面側のアルミニウムフィルムの目地をアルミニウムテープで接着して、電気的に接続」する点については、上記甲第１号証に開示するところがなく、この点で、両者は基本的に相違している。
　上記相違点につき検討するに、本件特許明細書及び上記甲第１号証の記載からみて、上記前者及び後者に係る「パネル」の上に、防水シートが施工されることは明らかであり、そして、その防水シートのピンホール乃至損傷の有無を電気的試験によりチェックすることにおいても同様である。
　しかし、前者においては、「断熱防水パネルの片面側のアルミニウムフィルムと、該断熱防水パネル上に敷設した防水シートの外表面との間に所定の電圧を印加する。・・防水シートにピンホールが存在しなければ、上記アルミニウムフィルムと防水シートの外表面との間で通電は生じない。・・一方、上記防水シートにピンホールが存在した場合、該ピンホールを通じて、断熱防水パネルの片面側のアルミニウムフィルムと防水シートの外表面との間で通電が生じ、これにより、ピンホールの存在を検知する。」（本件特許公報第６欄１２〜２５行）との記載からみて明らかなように、各「断熱防水パネル」のアルミニウムフィルムは互いに「電気的に接続」しているものであり、このため前者では「隣接する断熱防水パネルの片面側のアルミニウムフィルムの目地をアルミニウムテープで接着」することを構成要件としていると認められる。
　一方、後者においては、上記オ．のとおり「所定の探傷器により全面をチェックする。すなわち、導電性断熱パネル１上の防水シート３の表面に探傷器の先端検査ブラシをのせて、これに所定の高電圧をかける。すると、防水シート３に傷がない場合には、放電現象は生じないが、防水シート３に傷があると、検査ブラシとパネル１の導電性シート４の導電体の間で放電現象が生じ、放電の火花が出て・・これによって損傷部分の場所を容易に探し出すことができる。」と記載されているが、「探傷器の先端検査ブラシ」の他端の電極について明記されていない。これについては、同じく、上記オ．のとおり「
開脚釘６によってパネル１の導電性シート４の導電体７が鉄筋コンクリート壁１０ａにアースされる。
　そして、本件請求項１に係る発明は、本件特許明細書記載のとおりの作用・効果を奏するものと認められる。
　したがって、本件請求項１に係る発明が上記甲第１〜４号証記載の発明に基づき当業者が容易に発明をすることができたものとはいえない。
　
（５）本件請求項４に係る発明についての対比・判断
　本件請求項４は、請求項１を引用しているから、上記（４）記載の理由と同様の理由により、本件請求項４に係る発明が上記甲第１〜４号証記載の発明に基づき当業者が容易に発明をすることができたものとはいえない。
　
３．むすび
　以上のとおりであるから、特許異議申立ての理由及び証拠によっては、本件請求項１及び４に係る特許を取り消すことはできない。
　また、他に本件請求項１及び４に係る特許を取り消すべき理由を発見しない。
　よって、結論のとおり決定する。
【異議決定日】
平成１２年９月１２日（２０００．９．１２）